(57)【要約】【課題】所望するタッチメニューに対応するタッチメニュー操作領域が狭い場合であっても、タッチ操作のみによって容易に所望のタッチメニューを選択することができる情報処理装置及びこの情報処理装置の操作表示方法を提供する。【解決手段】表示装置３１に情報処理媒体を再生して得られるメニュー画面３３を表示させ、このメニュー画面３３内に表示された複数のタッチメニューの一つをタッチ操作することで、当該メニューを実行する情報処理装置において、メニュー画面３３がタッチメニューを直接選択可能なタッチメニュー操作表示領域４０ａ〜４０ｄとこの選択可能なタッチメニュー操作表示領域以外の領域４１とを備え、この選択可能な領域以外の領域４１をタッチ操作することで、タッチメニュー操作表示領域４０ａ〜４０ｄのいずれかを順次選択するためのタッチ操作可能な操作キーパッド５０を表示させる。【選択図】図３
2008090376.tif 000002
【特許請求の範囲】
【請求項１】
表示装置及びこの表示装置上に配置されるタッチパネルを備え、この表示装置に情報処理媒体を再生して得られるメニュー画面を表示させ、このメニュー画面内に表示された複数のタッチメニューの一つをタッチ操作することで、当該メニューを実行する情報処理装置において、
前記メニュー画面が前記タッチメニューを直接選択可能なタッチメニュー操作表示領域とこのタッチメニュー操作表示領域以外の領域とを備え、前記タッチメニュー操作表示領域以外の領域をタッチ操作することで、前記タッチメニューのいずれかを選択するためのタッチ操作可能な操作キーパッドを表示させることを特徴とする情報処理装置。
【請求項２】
表示装置及びこの表示装置上に配置されるタッチパネルを備え、この表示装置に情報処理媒体を再生して得られるメニュー画面を表示させ、このメニュー画面内に表示された複数のタッチメニューの一つをタッチ操作することで、当該メニューを実行する情報処理装置において、
前記メニュー画面が前記タッチメニューを直接選択可能なタッチメニュー操作表示領域を備え、複数の前記タッチメニュー操作表示領域をほぼ同時にタッチ操作することで、前記タッチメニューのいずれかを選択するためのタッチ操作可能な操作キーパッドを表示させることを特徴とする情報処理装置。
【請求項３】
前記操作キーパッドは、少なくともタッチメニューを排他的に選択可能状態とする移動キーと、この移動キーによって選択可能状態としたタッチメニューを選択して実行する実行キーとを備えることを特徴とする請求項１または請求項２に記載の情報処理装置。
【請求項４】
前記表示装置が車載用のＤＶＤ再生装置に使用されていることを特徴とする請求項１から請求項３のいずれか１つに記載の情報処理装置。
【請求項５】
表示装置に情報処理媒体を再生して得られるメニュー画面を表示させ、このメニュー画面内に表示された複数のタッチメニューの一つを操作前にタッチ操作させることで、当該メニューを実行する操作表示方法において、
前記タッチ操作によって、前記タッチメニューを直接選択可能なタッチメニュー操作表示領域の一つが有効に選択されないときに、前記タッチメニューのいずれかを選択するためのタッチ操作可能な操作キーパッドを表示させることを特徴とする操作表示方法。
【発明の詳細な説明】
【技術分野】
【０００１】
本発明は、表示装置に表示されるタッチメニューをタッチ操作することに処理を実行する情報処理装置及びこの情報処理装置の操作表示方法に関する。
【背景技術】
【０００２】
車載用の光ディスク（例えば、ＤＶＤ）再生装置に関し、このＤＶＤ再生時等に表示されるメニュー画面をタッチパネル方式にしたものが知られている。このようなＤＶＤ再生装置では、表示装置にＤＶＤを再生して得られるメニュー画面を表示させ、このメニュー画面内に表示された複数のタッチメニューのうちの一つをタッチ操作することで、選択されたメニューが実行されるようになっている（例えば、特許文献１参照）。
【特許文献１】特開２００２−３５１６１８号公報
【発明の開示】
【発明が解決しようとする課題】
【０００３】
上述の車載用のＤＶＤ再生装置では、表示装置の画面が７インチ程度のものが主流であり、メニュー画面上におけるタッチ操作可能な領域が小さくならざるを得ない。そのため、タッチメニューに対応するタッチメニュー操作領域をタッチ操作で選択する際に、所望のタッチメニュー以外のタッチメニュー操作領域をタッチ操作してしまったり、複数のタッチメニュー操作領域を同時にタッチ操作してしまうことがある。その結果、ユーザーが選択操作に対しストレスを感じるおそれがあった。
また、このようなＤＶＤ再生装置では、タッチメニューがタッチ操作で選択できなかった場合のために、ハードウェア上に操作ボタンを設け、この操作ボタンの操作によって所望のメニューが選択できるようにしている。しかしながら、ユーザーが画面上をタッチ操作したりハード上の操作ボタンを操作したりするのは煩雑であり、ユーザーが選択操作に対しストレスを感じるおそれがあった。
【０００４】
本発明は、上述した事情に鑑みてなされたものであり、所望するタッチメニューに対応するタッチメニュー操作領域が狭い場合であっても、タッチ操作のみによって容易に所望のタッチメニューを選択することができる情報処理装置及びこの情報処理装置の操作表示方法を提供することを目的とする。
【課題を解決するための手段】
【０００５】
本発明では、表示装置及びこの表示装置上に配置されるタッチパネルを備え、この表示装置に情報処理媒体を再生して得られるメニュー画面を表示させ、このメニュー画面内に表示された複数のタッチメニューの一つをタッチ操作することで、当該メニューを実行する情報処理装置において、前記メニュー画面が前記タッチメニューを直接選択可能なタッチメニュー操作表示領域とこのタッチメニュー操作表示領域以外の領域とを備え、前記タッチメニュー操作表示領域以外の領域をタッチ操作することで、前記タッチメニューのいずれかを選択するためのタッチ操作可能な操作キーパッドを表示させることを特徴とする。
この構成によれば、選択可能なタッチメニュー操作表示領域以外の領域をタッチ操作してしまったとしても、表示された操作キーパッドをタッチ操作することで、所望のタッチメニューを選択することができる。また、所望のタッチメニュー操作表示領域をタッチ操作できない場合に、選択可能なタッチメニュー操作表示領域以外の領域をタッチ操作することで、操作キーパッドを表示させ、所望のタッチメニューを選択することができる。
【０００６】
また、本発明では、表示装置及びこの表示装置上に配置されるタッチパネルを備え、この表示装置に情報処理媒体を再生して得られるメニュー画面を表示させ、このメニュー画面内に表示された複数のタッチメニューの一つをタッチ操作することで、当該メニューを実行する情報処理装置において、前記メニュー画面が前記タッチメニューを直接選択可能なタッチメニュー操作表示領域を備え、複数の前記タッチメニュー操作表示領域をほぼ同時にタッチ操作することで、前記タッチメニューのいずれかを選択するためのタッチ操作可能な操作キーパッドを表示させることを特徴とする。
この構成によれば、複数のタッチメニュー操作表示領域をタッチ操作してしまったとしても、表示された操作キーパッドをタッチ操作することで、所望のタッチメニューを選択することができる。
【０００７】
また、前記操作キーパッドは、少なくともタッチメニューを排他的に選択可能状態とする移動キーと、この移動キーによって選択可能状態としたタッチメニューを選択して実行する実行キーとを備えるようにすることができる。
この構成によれば、所望のタッチメニューを移動キーで選択し、この選択したタッチメニューを実行キーで実行することができる。
【０００８】
さらに、前記表示装置が車載用のＤＶＤ再生装置に使用されるものであってもよい。
この構成によれば、車載用の小さい画面に使用されるので、タッチ操作が比較的し難い表示装置上であっても、操作キーパッドによって容易に所望のタッチメニューを選択することができる。
【０００９】
他方、本発明では、表示装置に情報処理媒体を再生して得られるメニュー画面を表示させ、このメニュー画面内に表示された複数のタッチメニューの一つを操作前にタッチ操作させることで、当該メニューを実行する操作表示方法において、前記タッチ操作によって、前記タッチメニューを直接選択可能なタッチメニュー操作表示領域の一つが有効に選択されないときに、前記タッチメニューのいずれかを選択するためのタッチ操作可能な操作キーパッドを表示させることを特徴とする。
【発明の効果】
【００１０】
本発明によれば、メニュー画面がタッチメニューを直接選択可能な領域とこの選択可能な領域以外の領域とを備え、この選択可能な領域以外の領域をタッチ操作して選択することで、タッチメニューのいずれかを順次選択するためのタッチ操作可能な操作キーパッドを表示させることにより、所望の領域をタッチ操作できなかった場合であっても、選択可能領域以外の領域をタッチ操作して、操作キーパッドを表示装置の画面上に表示させ、この操作キーパッドをタッチ操作することで、所望のタッチメニューを選択することができる。そのため、ユーザーは、装置が具備するハード上の操作ボタンを操作してメニューを選択しなくとも、画面上のタッチ操作のみによってメニューを選択することができるので、選択操作を容易に行うことができると共に、操作にとまどうおそれがなくなる。また、操作キーパッドが画面上に表示されることにより、ユーザーの選択行為が容易に行うことができるので、ユーザーが選択操作にストレスを感じるおそれがない。
【００１１】
また、本発明によれば、タッチ操作によって複数のタッチメニューを選択することで、タッチメニューのいずれかを順次選択するためのタッチ操作可能な操作キーパッドを表示させることにより、誤って複数のタッチメニューをタッチ操作してしまった場合であっても、操作キーパッドを表示装置の画面上に表示し、この操作キーパッドをタッチ操作することで、所望のタッチメニューを選択することができる。そのため、ユーザーは、装置が具備するハード上の操作ボタンを操作してメニューを選択しなくとも、画面上のタッチ操作のみによってメニューを選択することができるので、選択操作を容易に行うことができると共に、操作にとまどうおそれがなくなる。また、操作キーパッドが画面上に表示されることにより、ユーザーの選択行為が容易に行うことができるので、ユーザーが選択操作にストレスを感じるおそれがない。
【発明を実施するための最良の形態】
【００１２】
以下、本発明の実施の形態に係る情報処理装置について、図面を参照しながら説明する。図１は、本発明の実施の形態に係る情報処理装置の構成を示す概要図である。なお、本実施の形態では、情報処理装置の一例として車載用のＤＶＤ再生装置について説明する。
【００１３】
制御部（制御手段）１００は、ＤＶＤ再生装置１の各部を中枢的に制御するものであり、演算・制御手段としてのメインＣＰＵ（Central Processing Unit）１０１と、ＲＯＭ１０２、ＤＲＡＭ１０４及びＳＲＡＭ１０６を有する記憶部１１０とを備えている。ＲＯＭ（Read Only Memory）１０２はメインＣＰＵ１０１によって実行される制御プログラムやデータ等を格納するものである。ＤＶＤ再生装置１の主電源投入時に、メインＣＰＵ１０１がＲＯＭ１０２に格納されている制御プログラムやデータ等を読み出し、実行することで、各部の制御動作が行われる。ＤＲＡＭ（Dynamic Random Access Memory）１０４はメインＣＰＵ１０１がＲＯＭ１０２から読み出したプログラムや、演算結果、演算途中のデータ等を一時的に格納するものである。ＳＲＡＭ（Static Random Access Memory）１０６はＤＶＤ再生装置１の主電源切断時に、ＤＲＡＭ１０４に格納されているデータ等の記憶内容をバックアップするものであり、主電源切断後においても車両のバッテリーから電力が供給されており、主電源切断後もバックアップすべき記憶内容を保持可能になされている。
【００１４】
主記憶部１２０は比較的容量の大きな各種アプリケーションプログラムやデータ等を格納するものであり、例えばハードディスク装置を備えている。主記憶部１２０に格納されるものとしては、例えば、後述する表示部１４０の表示制御のためのプログラム等がある。
【００１５】
記録媒体読取部１３０は、制御部１００の制御の下、上述したカード型記録媒体やディスク型記録媒体に記録されているデータを読み取り、制御部１００に出力するものであり、カード型記録媒体読取装置や、ＣＤ／ＤＶＤドライブ装置等を備えている。
【００１６】
表示部１４０は、制御部１００の制御の下、ＤＶＤの初期メニュー画面等を表示するものであり、描画プロセッサ１４６及びＶＲＡＭ１４８を備えた描画回路１４２と、液晶駆動回路１４４と、液晶パネル（表示装置）３１とを備えている。描画回路１４２は、描画コマンドＤＳＳを制御部１００から受け取り、この描画コマンドＤＳＳに基づく表示を行うべく液晶駆動回路１４４を制御するものである。描画プロセッサ１４６は、描画コマンドＤＳＳに基づいて液晶パネル３１に表示すべき描画データ（例えばビットマップ画像データ）を生成するものであり、ＶＲＡＭ（Video RAM）１４８は描画データを保持するものである。液晶駆動回路１４４はＶＲＡＭ１４８に保持されている描画データを順次受け取り、この描画データに基づいて液晶パネル３１に表示するものである。なお、液晶パネル３１は、ブラウン管を用いた一般的なモニターであってもかまわない。
【００１７】
操作部１５０は、スイッチ操作部１５２と、タッチパネル操作部１５４とを備えている。スイッチ操作部１５２は、ＤＶＤ再生装置１の前面パネルに設けられた操作ボタン（図示せず）の操作を電気信号に変換してスイッチ信号ＳＳを制御部１００に出力するスイッチ回路基板（図示せず）を備えている。タッチパネル操作部１５４は、液晶パネル３１上に配置されるタッチパネル操作部１５４（図２参照）の操作を電気信号に変換してタッチ信号ＴＳを制御部１００に出力するタッチパネル回路基板（図示せず）を備えている。タッチ信号ＴＳには、タッチパネル操作部１５４の面上のタッチ操作個所を示す座標情報が含まれており、これにより、制御部１００が、タッチパネル操作部１５４上のタッチ操作箇所を識別可能となる。
【００１８】
図２は、ＤＶＤ再生装置１の液晶パネル３１（タッチパネル操作部１５４）の画面上に表示されたメニュー画面３３を示している。このメニュー画面３３には、複数のタッチメニュー４０（図２において４つ）が上下方向に間隔をあけて並べて表示されている。この各タッチメニューは、タッチ操作することでこのメニューが選択・実行されるための領域（以下、タッチメニュー操作表示領域４０ａ〜４０ｄという。図２において、点線枠で示す）を有しており、このそれぞれのタッチメニュー操作表示領域４０ａ〜４０ｄをタッチ操作することにより、各メニューが実行されるようになっている。このタッチメニュー４０は、タッチ操作される前の状態では、各タッチメニューの文字の色は同じであり、タッチ操作された後の状態では、選択されたタッチメニューの文字の色が変化する。これにより、どのタッチメニューが選択されたかを目視で確認できるようになっている。なお、文字の色が反転する以外にも、文字が白抜きで表示されるものや、その他目視で選択されている状態が確認できる方法で表示されていてもよい。
【００１９】
このメニュー画面３３には、各タッチメニュー操作表示領域４０ａ〜４０ｄの外側の領域であって、画面上の各タッチメニュー操作表示領域４０ａ〜４０ｄ以外の領域（以下、外領域４１という）が存在する。この外領域４１をタッチ操作すると、このメニュー画面３３上に操作キーパッド５０が表示されるようになる。図３は、メニュー画面３３上に、操作キーパッド５０が表示された状態を示している。
また、この操作キーパッド５０は、外領域４１をタッチ操作する以外にも、各タッチメニュー操作表示領域４０ａ〜４０ｄのうちの少なくとも２つ以上のタッチメニュー操作表示領域が同時にタッチ操作された場合にも表示されるようになる。
【００２０】
操作キーパッド５０は、タッチ操作が可能な６つのタッチボタンがそれぞれ間隔をあけて配置されたものである。詳細には、操作キーパッド５０は、タッチメニューを上側に向かって４０ｄ→４０ｃ→４０ｂ→４０ａと順次切替選択可能な上方向タッチボタン５１と、タッチメニューを下側に向かって４０ａ→４０ｂ→４０ｃ→４０ｄと順次切替選択可能な下方向タッチボタン５２と、左方向タッチボタン５３と、右方向タッチボタン５４と、選択したタッチメニューを実行するための実行ボタン５５と、操作キーパッド５０の表示位置を中心線を挟んで左右対称に右側から左側に変更（移動）する表示位置変更ボタン５６とを備えている。なお、左方向タッチボタン５３及び右方向タッチボタン５４は、タッチメニュー操作表示領域４０ａ〜４０ｄの横側にも他のタッチメニュー操作表示領域がある場合に、左右方向に順次切替選択可能にするためのものである（図２及び図３に示すタッチメニュー操作表示領域４０ａ〜４０ｄの並びでは操作不要である）。
【００２１】
また、操作キーパッド５０の各タッチボタン５１〜５６のタッチ操作可能な領域は、タッチメニュー操作表示領域４０ａ〜４０ｄの各領域の上下方向の間隔よりも、大きい間隔で並べて配置されている。また、操作キーパッド５０の各タッチボタン５１〜５６のタッチ操作可能な領域の面積を、タッチメニュー操作表示領域４０ａ〜４０ｄの各領域の面積よりも広くするようにしてもよい。これにより、タッチメニュー操作表示領域４０ａ〜４０ｄのタッチ操作可能な領域が狭いためにタッチ操作がし難い場合であっても、操作キーパッド５０のタッチ操作については、タッチ操作し易いようになっている。
【００２２】
この操作キーパッド５０が表示されている状態では、タッチメニュー操作表示領域４０ａ〜４０ｄへのタッチ操作はできないようになっている。また、この操作キーパッド５０が表示された最初の状態では、一番上側のタッチメニューが選択されており（文字の色が変化している）、そのまま実行ボタン５５をタッチ操作すれば、この一番上側のタッチメニュー操作表示領域４０ａに対応する処理（メニュー内容）が実行されることになる。また、下方向タッチボタン５２をタッチ操作することにより、タッチ操作の回数に合わせて順次下側のタッチメニューが選択されることになる。
【００２３】
次に、本発明の実施の形態に係るＤＶＤ再生装置１の動作手順について、図４のフローチャートを用いて説明する。
ＤＶＤ再生装置１の液晶パネル３１には、ＤＶＤを再生することにより得られるメニュー画面３３が最初に表示される（Ｓ０１）。ユーザーは、このメニュー画面３３に表示されたタッチメニュー操作表示領域４０ａ〜４０ｄのうち、所望するいずれか一つのタッチメニュー操作表示領域をタッチ操作する（Ｓ０２）。この場合、ＤＶＤ再生装置１は、タッチ操作がタッチメニュー操作表示領域４０ａ〜４０ｄのうちの一つの領域内を有効に選択しているか否かを判断する（Ｓ０３）。この判断において、有効に選択されている場合には、液晶パネル３１に次画面が表示されることになる（Ｓ０４）。
【００２４】
一方、上記判断（Ｓ０３）で有効に選択されていない場合には、液晶パネル３１上にメニュー画面３３を表示したまま、操作キーパッド５０が表示される（Ｓ０５）。この有効に判断されていない場合とは、例えば以下のような場合がある。
（１）ユーザーが、一つのタッチメニュー操作表示領域をタッチ操作して選択・実行しようとしたが、選択した一つのタッチメニューの領域内をタッチ操作できず、外領域４１をタッチ操作してしまった場合。
（２）ユーザーが、一つのタッチメニューをタッチ操作できないと認識し、敢えて外領域４１をタッチ操作した場合。
（３）ユーザーが、一つのタッチメニューをタッチ操作して選択・実行しようとしたが、少なくとも２つのタッチメニューがほぼ同時にタッチ操作されてしまった場合。
【００２５】
操作キーパッド５０が表示された後、ユーザーは、操作キーパッド５０の各タッチボタン５１〜５６をタッチ操作して、所望するタッチメニューを選択する（Ｓ０６）。そして、選択されたタッチメニューで実行ボタン５５がタッチ操作されたかを判断し（Ｓ０７）、実行ボタン５５がタッチ操作されている場合には、液晶パネル３１に次画面が表示されることになり（Ｓ０４）、タッチ操作されていない場合には、引き続き選択操作が可能な状態で維持される。
【００２６】
本発明の実施の形態に係るＤＶＤ再生装置１によれば、液晶パネル３１及びこの液晶パネル３１と一体のタッチパネル操作部１５４を備え、この液晶パネル３１にＤＶＤ等を再生して得られるメニュー画面３３を表示させ、このメニュー画面３３内に表示された複数のタッチメニュー操作表示領域４０ａ〜４０ｄの一つをタッチ操作することで、このタッチメニューを実行するようになっており、メニュー画面３３がタッチメニュー操作表示領域４０ａ〜４０ｄを直接選択可能な領域と、この選択可能な領域以外の外領域４１とを備え、この外領域４１をタッチ操作して選択することで、タッチメニュー操作表示領域４０ａ〜４０ｄのいずれかを選択するためのタッチ操作がより容易な操作キーパッド５０を表示させ、タッチ操作における操作性の向上を図るようにしているので、外領域４１をタッチ操作してしまったとしても、表示された操作キーパッド５０をタッチ操作することで、所望のタッチメニュー操作表示領域４０ａ〜４０ｄに対応するタッチメニューを選択することができる。また、所望の操作表示領域をタッチ操作できない場合に、外領域４１をタッチ操作することで、操作キーパッド５０を表示させ、所望のタッチメニューを選択することができる。そのため、ユーザーは、ＤＶＤ再生装置１が具備するハード上の操作ボタンを操作してメニューを選択しなくとも、画面上のタッチ操作のみによってメニュー画面３３の所望のタッチメニューを選択することができ、選択操作を容易に行うことができると共に、操作にとまどうおそれがなくなる。また、操作キーパッド５０が画面上に表示されることにより、ユーザーの選択行為が容易に行うことができるので、ユーザーが選択操作にストレスを感じるおそれがない。
【００２７】
また、本発明の実施の形態に係るＤＶＤ再生装置１によれば、タッチ操作によって複数のタッチメニューを選択することで、タッチメニュー操作表示領域４０ａ〜４０ｄのいずれか一つを順次選択するためのタッチ操作可能な操作キーパッド５０を表示させるようにしているので、誤って複数のタッチメニューをタッチ操作してしまった場合であっても、操作キーパッド５０を表示装置の画面上に表示し、この操作キーパッド５０をタッチ操作することで、所望のタッチメニュー操作表示領域４０ａ〜４０ｄに対応するタッチメニューを選択することができる。そのため、ユーザーは、ＤＶＤ再生装置１が具備するハード上の操作ボタンを操作してメニューを選択しなくとも、画面上のタッチ操作のみによってメニュー画面３３の所望のタッチメニューを選択することができ、選択操作を容易に行うことができると共に、操作にとまどうおそれがなくなる。また、操作キーパッド５０が画面上に表示されることにより、ユーザーの選択行為が容易に行うことができるので、ユーザーが選択操作にストレスを感じるおそれがない。
【００２８】
また、操作キーパッド５０は、タッチメニューを排他的に選択可能状態とする上方向タッチボタン５１、下方向タッチボタン５２、左方向タッチボタン５３、右方向タッチボタンと、これらのタッチボタンによって選択可能状態としたタッチメニューを選択して実行する実行ボタン５５とを備えているので、所望のタッチメニューをタッチボタン５１、５２、５３、５４で選択し、この選択したタッチメニューを実行ボタン５５で実行することができる。
【００２９】
なお、本実施の形態では操作キーパッド５０として、上方向タッチボタン５１，下方向タッチボタン５２、左方向タッチボタン５３、右方向タッチボタン５４、を表示させるようにしているが、例えば、タッチメニューに付された番号をその番号にて直接選択できるように、上記のタッチボタン５１〜５４に加えて、テンキー（図示せず）を表示させるようにしてもよい。
【００３０】
以上、本発明を実施するための最良の形態について述べたが、本発明は既述の実施形態に限定されるものではなく、本発明の技術思想に基づいて各種の変形および変更が可能である。
例えば、本実施の形態では、情報処理装置の一例として車載用のＤＶＤ再生装置１について説明したが、これに限定されるものではない。例えば、車載用のＣＤ再生装置、携帯用のＤＶＤ再生装置、携帯用の測定機器など、機能的に画面を用いて情報を表示する装置であれば、本願の発明を適用することができる。
【００３１】
また、本実施の形態では、車載用のＤＶＤ再生装置１であって、比較的小型の画面が使用されているものについて説明したが、大型の画面であっても、タッチメニューが数十個以上表示されることにより、タッチ操作可能な領域が狭く、ユーザーがタッチ操作にストレスを感じるような場合には、本願発明を適用して同様の効果を得ることができる。
【図面の簡単な説明】
【００３２】
【図１】本発明の実施の形態に係るＤＶＤ再生装置の構成を示す概要図である。
【図２】本発明の実施の形態に係るＤＶＤ再生装置の画面上に表示されるメニュー画面を示す概要図である。
【図３】図２に示す画面上に操作キーパッドが表示された状態を示す概要図である。
【図４】本発明の実施の形態に係るＤＶＤ再生装置の画面上に操作キーパッドが表示される手順を示すフローチャートである。
【符号の説明】
【００３３】
１  ＤＶＤ再生装置
３１  液晶パネル（表示装置）
３３  メニュー画面
４０  タッチメニュー
４１  外領域
５０  操作キーパッド
５１  上方向タッチボタン
５２  下方向タッチボタン
５３  左方向タッチボタン
５４  右方向タッチボタン
５５  実行ボタン
５６  表示位置変更ボタン
１００  制御部
１０１  ＣＰＵ
１０２  ＲＯＭ
１０４  ＤＲＡＭ
１０６  ＳＲＡＭ
１１０  記憶部
１２０  主記憶部
１３０  記録媒体読取部
１４０  表示部
１４２  描画回路
１４４  液晶駆動回路
１４６  描画プロセッサ
１４８  ＶＲＡＭ
１５０  操作部
１５２  スイッチ操作部
１５４  タッチパネル操作部
ＤＳＳ  描画コマンド
ＳＳ  スイッチ信号
ＴＳ  タッチ信号
【図１】
2008090376.tif 000003
【図２】
2008090376.tif 000004
【図３】
2008090376.tif 000005
【図４】
2008090376.tif 000006